(57)【要約】  【課題】  梱包箱の蓋を破損させる事なく容易に固定可能で、梱包作業効率の向上に適した蓋押え具を提供する。  【解決手段】  図示の通り、本発明の蓋押え具１は、差込片１１と、押え片１２とが、結合部１３を介して結合されている。押え片１２は、結合部１３と結合している端では差込片１１と平行であるが、途中から差込片１１に近づくように傾斜が形成され、他端は再び差込片１１と平行となり、押え部を形成している。この構造を有する事により、本発明の蓋押え具は押え力が強い。本発明の蓋押え具は、最小限個数で多数の梱包箱の蓋を密閉状態に固定可能であり、さらに、多様な大きさの梱包箱に適用可能であるため、大いに梱包作業効率向上に貢献する。また、梱包箱の蓋に対し、密閉状態での固定および開放状態での固定の両方に使用すれば、さらに梱包作業効率向上に貢献することができる。【選択図】  図１
2005178881.tif 000002
【特許請求の範囲】
【請求項１】
平板な形状を有する差込片と、その差込片に対向する押え片とを含み、前記差込片と前記押え片とはそれぞれの一端で結合部を介して結合されており、前記押え片の他端は前記差込片と平行に向かい合う押え部を形成し、前記押え片における前記押え部以外の部分は、その全部または一部が、前記結合部に接する端から前記押え部に行くに従い前記差込片に向かって傾斜している、梱包箱用蓋押え具。
【請求項２】
梱包箱の左右の蓋を連結して閉じた状態に固定する請求項１に記載の梱包箱用蓋押え具。
【請求項３】
梱包箱の開いた蓋を梱包箱側面部とともに挟み込んで開いた状態に固定する請求項１または２に記載の梱包箱用蓋押え具。
【請求項４】
前記差込片における前記結合部に接する端から前記押え部と向かい合う端までの距離が、前記押え片における前記結合部に接する端から前記押え部の端までの距離よりも大きい請求項１から３のいずれかに記載の梱包箱用蓋押え具。
【請求項５】
金属またはプラスチックから形成されている請求項１から４のいずれかに記載の梱包箱用蓋押え具。
【発明の詳細な説明】
【技術分野】
【０００１】
本発明は梱包箱用蓋押え具に関する。
【背景技術】
【０００２】
物品の輸送や保存にダンボール箱等の梱包箱を使用する場合、物品の保存中には、蓋を何らかの手段で密閉状態に固定しないと、蓋が開放状態または半開放状態になり、箱の中に埃や異物が混入する等の問題が起こることがある。また、物品の出し入れ作業中には、逆に蓋を開放状態に固定しないと、蓋が広がったり閉じてしまったりして作業に支障をきたすことがある。
【０００３】
梱包箱の蓋を固定するための手段としては、例えば、接着剤、ステープルまたはガムテープ等を使用する方法がある。しかし、それらの手段により一度固定すると、物品の確認や取り出し等のために箱を再び開閉する場合、蓋を破損させるような形で無理に開閉するしかない。このため梱包箱の寿命が短くなるし、また、固定作業が煩雑なため作業効率が悪い。
【０００４】
梱包箱には、蓋に差込片を形成して接着剤やテープ等を用いずに繰り返し開閉できるようにしたものもある。しかし、この方法では密閉状態の強度はさほど大きくないし、開閉操作を繰り返し行うと差込片が劣化し、さらに密閉状態の強度が小さくなる。
【０００５】
梱包箱の蓋を密閉状態に固定するため、蓋に差し込む取付治具が開示されている（特許文献１）。しかし、これは特定構造の梱包箱にのみ適するように作られており、さらに、梱包箱と常に一体で使用するため、複数の梱包箱間での使い回しがきかないという難点がある。また、蓋を開放状態に固定するには適していない。一方、梱包箱の蓋を開放状態に固定するための蓋押え具もあるが（特許文献２〜４）、逆にこれらは梱包箱の蓋を密閉状態に固定するには適していない。
【０００６】
【特許文献１】実開平１−１０７５１６
【特許文献２】実開昭５７−１６２１１９
【特許文献３】実開昭５８−１０２４１８
【特許文献４】実開昭６０−２１４１８
【発明の開示】
【発明が解決しようとする課題】
【０００７】
したがって、本発明は、梱包箱の蓋を破損させる事なく容易に固定可能で、梱包作業効率の向上に適した蓋押え具を提供する事を目的とする。
【課題を解決するための手段】
【０００８】
前記課題を解決するために、本発明の蓋押え具は、平板な形状を有する差込片と、その差込片に対向する押え片とを含み、前記差込片と前記押え片とはそれぞれの一端で結合部を介して結合されており、前記押え片の他端は前記差込片と平行に向かい合う押え部を形成し、前記押え片における前記押え部以外の部分は、その全部または一部が、前記結合部に接する端から前記押え部に行くに従い前記差込片に向かって傾斜している、梱包箱用蓋押え具である。
【発明の効果】
【０００９】
前記の構成を有することにより、本発明の蓋押え具は、梱包箱の蓋を破損させる事なく容易に固定可能で、梱包作業効率の向上に適する。
【発明を実施するための最良の形態】
【００１０】
次に、本発明の実施形態について説明する。ただし、以下の実施形態は本発明の例示に過ぎず、本発明はこれに限定されない。
【００１１】
図１に、本発明の蓋押え具の一例を示す。図１（ａ）は断面図、（ｂ）は斜視図である。図示の通り、蓋押え具１は、差込片１１と、押え片１２と、結合部１３とが一体に形成されている。差込片１１は、ほぼ長方形の平板な形状をしており、その一つの長辺には結合部１３が差込片１１と垂直に結合している。さらに、結合部１３の他端には押え片１２が結合部１３と垂直に結合している。押え片１２は、差込片１１とほぼ等しい大きさの長方形をしており、差込片１１と向かい合っている。押え片１２は、結合部１３と結合している端では差込片１１と平行であるが、途中から差込片１１に近づくように傾斜が形成され、他端は再び差込片１１と平行となり、押え部を形成している。このように、押え片が先細り形状となるように傾斜が形成されている事により、本発明の蓋押え具は押え力が強い。
【００１２】
なお、図示の蓋押え具は、差込片１１の長さが押え片１２よりも長い。すなわち、差込片１１における結合部１３に接する端から押え部と向かい合う端までの距離が、押え片１２における結合部１３に接する端から押え部の端までの距離よりも大きい。この構造を有することにより押え力がさらに強く安定するが、本発明はこれに限定されず、例えば差込片と押え片の長さが同じであっても良い。
【００１３】
また、本発明の梱包箱用蓋押え具の材質は特に限定されないが、強度や耐久性の観点から、例えば金属またはプラスチックから形成されていることが好ましく、金属としては例えばステンレスやアルミが好ましい。
【００１４】
本発明の梱包箱用蓋押え具は、例えば、梱包箱の左右の蓋を連結して閉じた状態に固定する用途に使用することが好ましい。図２に、そのような使用形態の一例を示す。図示の通り、梱包箱２は、左右二枚の蓋を閉じあわせる事により密閉できる構造を有する。これは、ダンボール箱等の一般的な梱包箱にほとんど共通する構造である。図示のように、左右の蓋の合わせ目の位置において、蓋押え具１の差込片を梱包箱２の本体と蓋との間に差し込み、差込片と押え片とで左右の蓋を挟むようにすると、蓋を密閉状態に固定する事ができる。本発明の蓋押え具は、前記の通り押え力が強いが、さらに強い押え力を得たい場合は、梱包箱２の他端にも蓋押え具１を同様に差し込み、二個の蓋押え具で蓋を挟んでも良い。
【００１５】
また、多数の梱包箱に物品を保管する場合は、本発明の蓋押え具を、例えば以下のように使用する事ができる。すなわち、まず、一つの梱包箱に物品を梱包し、図２に示すようにして蓋を密閉状態に固定する。次に、別の梱包箱に物品を梱包し、その上に載せ、蓋押え具を引き抜く。上に載せた梱包箱が重しの役目をするため、蓋押え具を引き抜いても蓋は開かない。そして、上に載せた梱包箱に対し、蓋押え具を前記と同様に用いて蓋を固定する。これを繰り返して梱包箱を次々と積み重ね、最後に一番上の梱包箱の蓋を蓋押え具で固定すれば、最小限個数の蓋押え具で全ての梱包箱の蓋を密閉状態に固定する事ができる。この方法によれば、テープや接着剤等を用いる必要がないため、梱包箱を閉じるときも、再び開けるときも作業効率が良く、蓋が破損する事もない。
【００１６】
本発明の蓋押え具は、上記の通り最小限個数で多数の梱包箱の蓋を密閉状態に固定可能であり、さらに、押え力が強いため多様な大きさの梱包箱に適用可能であり、大いに梱包作業効率向上に貢献する。
【００１７】
また、本発明の梱包箱用蓋押え具は、例えば、梱包箱の開いた蓋を梱包箱側面部とともに挟み込んで開いた状態に固定する用途に使用することが好ましい。図３に、そのような使用形態の一例を示す。図示の通り、箱２の蓋を開け、蓋押え具１の差込片が箱内部に、押え片が箱外部に位置するようにして箱２本体と蓋とを挟めば、蓋を開放状態に固定する事ができる。差込片は平板であるため、物品の詰め込みに支障をきたさない。箱２に対する蓋押え具１の使用個数は必要に応じれば良いが、箱２の蓋の個数（図では４個）と同じだけ用いれば、蓋を完全に開放状態に固定する事ができる。場合により、もっと少ない個数でも良い。
【００１８】
梱包箱の蓋を開放状態に固定する場合は、蓋の反発力が強いため、特に強い押え力が要求されるが、本発明の蓋押え具は前記の通り押え力が強く、その用途に適している。このように、本発明の蓋押え具は、梱包箱の蓋を密閉状態および開放状態のどちらにも固定可能であることにより、梱包作業の効率化にさらに貢献することができる。
【００１９】
本発明では、梱包箱の種類は特に限定されないが、例えばダンボール箱が好ましい。
【００２０】
本発明の蓋押え具の幅は特に限定されないが、適切な押え力を得る観点および使い勝手等の観点から、例えば２０〜２５ｃｍ、好ましくは２１〜２４ｃｍ、より好ましくは２２〜２３ｃｍである。前記幅の適切な範囲は梱包箱の大きさにも依存するが、本発明の蓋押え具は前記の通り押え力が強いためその依存度が小さく、様々な大きさの梱包箱に対し使い回しできる。
【００２１】
前記差込片の長さは特に限定されないが、例えば６〜１１ｃｍ、好ましくは７〜１０ｃｍ、より好ましくは８〜９ｃｍである。前記差込片の「長さ」とは、前記差込片における前記結合部に接する端から前記押え部と向かい合う端までの距離を言う。
【００２２】
また、前記差込片と前記押え部との距離は特に限定されないが、押え力の強さの観点からは大きすぎないことが好ましく、蓋や梱包箱本体に対する差し込み易さの観点からは小さすぎないことが好ましい。前記差込片と前記押え部との適切な距離は、梱包箱の箱材の厚みにもよるが、例えば０．６〜１．４ｃｍ、好ましくは０．７〜１．２ｃｍ、より好ましくは０．８〜１．０ｃｍである。
【００２３】
以上のようにして本発明を実施することができるが、本発明はこれに限定されない。
【産業上の利用可能性】
【００２４】
以上説明した通り、本発明の蓋押え具は、梱包箱の蓋を破損させる事なく容易に固定可能で、梱包作業効率の向上に適している。本発明の蓋押え具は、最小限個数で多数の梱包箱の蓋を密閉状態に固定可能であり、さらに、押え力が強いため多様な大きさの梱包箱に適用可能である。また、梱包箱の蓋に対し、密閉状態での固定および開放状態での固定の両方に使用すれば、さらに梱包作業効率向上に貢献することができる。
【図面の簡単な説明】
【００２５】
【図１】本発明の蓋押え具の一例を示す図であり、（ａ）は断面図、（ｂ）は斜視図である。
【図２】図１の蓋押え具の使用形態の一例を示す図である。
【図３】図１の蓋押え具の使用形態の別の一例を示す図である。
【符号の説明】
【００２６】
１  蓋押え具
１１  差込片
１２  押え片
１３  結合部
２  梱包箱
【図１】
2005178881.tif 000003
【図２】
2005178881.tif 000004
【図３】
2005178881.tif 000005